(57)【特許請求の範囲】
【請求項１】
中空の円筒体を有し、
前記円筒体の下端に、又は前記円筒体の外周に、前記円筒体を地中で支持する為の支持部が設けられ、
前記円筒体の下端に蓋板を設け、
下端側の前記蓋板の底面に、土を掘削する掘削部を設け、
前記円筒体の外周に、ケーシングと脱着可能に係合する凸部材を設け、
前記円筒体の上部を閉塞する蓋板を設け、
上部側の前記蓋板の中央部に、アイボルト又はユーボルトを設け、
前記アイボルト又は前記ユーボルトに脱着可能なアンカーボルトを揺動可能に接続する構成の電柱の支線用アンカー。
【請求項２】
請求項１記載の電柱の支線用アンカーを埋設するアンカー埋設方法であって、
ケーシングの下部の外周に撹拌装置を設け、
前記ケーシングの下端に設けられたアンカー用アタッチメント内に、前記アンカーボルトを接続した前記アンカーの上部を入れ込み、
前記円筒体の外周に設けられた前記凸部材により、前記アンカー用アタッチメントと前記アンカーとが係合し、
アンカー埋設機械の鉛直回転軸を備えた回転駆動機構の下端のケーシング用アタッチメントに前記ケーシングを係合し、
前記ケーシングを用いて回転、掘削により地中を推進し、目的の深さまで推進後、前記アンカーを定着後、前記アンカー用アタッチメントと前記アンカーとの係合を外し、
前記ケーシング用アタッチメントと前記ケーシングとの係合を外し、
前記ケーシングの上端内よりセメントミルク又は、モルタル、又は各種土壌固化材を流し込み、
前記ケーシングの下端と前記アンカーとの隙間より前記セメントミルク又は、モルタル、又は各種土壌固化材があふれ出し、前記アンカーの周りの土に染み込み、前記ケーシングの外周の土にまざり合い、
前記ケーシングを回転しながら引き抜く事により、各前記土と前記セメントミルク又は、前記モルタル、又は前記各種土壌固化材を前記撹拌装置により撹拌して、前記アンカーと地中の各前記土を前記セメントミルク又は、前記モルタル、又は前記各種土壌固化材で固める、アンカー埋設方法。
【発明の詳細な説明】
【技術分野】
【０００１】
本発明は、アンカーを地中に確実に定着させる装置に関するものです。
【背景技術】
【０００２】
従来、電柱の支線のアンカーに使用されているアンカーは、強風、地震等に対して、又は地盤が緩い場所において電柱が倒れる事があります。
本発明は、アンカーの支持強度を強化する装置に関するものです。
【先行技術文献】
【特許文献】
【０００３】
特願２０１３−０７０７１５
【発明の概要】
【発明が解決しようとする課題】
【０００４】
従来、電柱の支線に使用されているアンカーは、簡単に埋設出来る物や、ただ埋設しただけの物が多くあります。そのため、月日が経つと雨や風、地震等で地盤が弱くなり、アンカーの支持力も落ちてしまいます。
【課題を解決するための手段】
【０００５】
従来のアンカーは、アンカーをただ埋設するだけですが、埋設したアンカーは元よりアンカーの周りの土までセメントミルクで撹拌して固めてしまえば、アンカーの支持力が増してきます。
そして、本発明の目的は、ケーシングで掘削推進出来る深さまでアンカーをセメントミルクで固めることが出来る装置と埋設方法です。
【０００６】
本発明を、図と共に説明すれば、図１のアンカー（１）の円筒体の下端、又は円筒体の外周に支持部（２）が設けられ、アンカー（１）の下端に、又は円筒体の下端に蓋板（４）を設け、下端側の蓋板（４）の底面に、又は２ヶ所共に土を掘削する掘削部（３）を設け、アンカー（１）の円筒体の上部を閉塞する蓋板（４）を設け、上部側の蓋板（４）の中央部上部にアイボルト（５）又はユーボルトを設け、アイボルト（５）又はユーボルトに脱着可能な、アンカーボルト（６）を揺動可能に接続し、アンカー（１）の円筒体の外周に、ケーシング（７）の下端に設けられたアタッチメント（８）と脱着可能に係合する凸部材（９）を設ける。
アンカー埋設機械（１０）のブーム（１１）の先端に垂下された鉛直回転軸を備えた回転駆動機構（１２）の下端に、ケーシング（７）の係合用のアタッチメント（１３)を設ける。
【０００７】
アンカー（１）をケーシング（７）内にセットする場合は、ケーシング（７）を地上に寝かせ、ケーシング（７）内に掘削の深さ分の長さのアンカーボルト（６）を入れ、アンカーボルト（６）とアンカー（１）を接続させた後、アンカー（１）をケーシング（７）の下端に設けたアンカー（１）の係合用のアタッチメント（８）に係合させる。
そして、図２の様に、ケーシング（７)を縦吊りにアンカー埋設機械（１０）により吊り上げ、回転駆動機構（１２）の下端のアタッチメント（１３）にケーシング（７）を係合させる。
そして、掘削地点にアンカー（１）の先端を持って行き、回転駆動機構（１２）を回転させることにより、アンカー（１）が地中を掘削して推進して、目的の深さまで掘削したら回転駆動機構（１２）の回転を止める。
そして、アンカー（１）とケーシング（７）のアタッチメント（８）との係合を外し、そして回転駆動機構（１２）の下端のアタッチメント（１３）とケーシング（７）の係合を外す。
そして、ケーシング（７）の上端内より、図３の様に、セメントミルク（１４）又は、モルタル、又は各種土壌固化材を流し込み、ケーシング（７）の下端よりセメントミルク（１４）があふれ出し、ケーシング(７）を回転駆動機構（１２）で回転させながら引き抜くことにより、ケーシング（７)の下端の撹拌装置（１５）により、土とセメントミルク（１４）が撹拌してアンカー（１）とアンカー（１）の周りの土が、セメントミルク（１４）で固まり、強固なアンカー（１）の埋設が出来ます。
【発明の効果】
【０００８】
この発明の効果は、アンカーをケーシングにより、回転、掘削、推進し、目的の深さに定着させます。
そして、ケーシングの上端内よりセメントミルクを流し込みます。セメントミルク等は、ケーシング内を下部へ降りて行き、ケーシングとアンカーとの係合を外した隙間よりケーシング外にあふれ出て、アンカーの周りの土に染み込み、そしてケーシングの外周の土とまざり合い、ケーシングの回転及び撹拌装置の回転により、ケーシングの外周の土とセメントミルクが撹拌され、アンカーと、アンカーの上部の土がセメントミルクにより強固に固定される。
【産業上の利用可能性】
【０００９】
この発明装置を使用することにより、電柱の支線のアンカーが強固になり、電柱の倒れの防止になります。
【図面の簡単な説明】
【００１０】
【図１】この発明の、アンカーの正面図
【図２】アンカー埋設機械、装置の側面図
【図３】ケーシング上端内へ、セメントミルク流し込み図
【符号の説明】
【００１１】
１、アンカー
２、支持部
３、掘削部
４、蓋板
５、アイボルト
６、アンカーボルト
７、ケーシング
８、アタッチメント
９、凸部材
１０、アンカー埋設機械
１１、ブーム
１２、回転駆動機構
１３、アタッチメント
１４、セメントミルク
１５、撹拌装置
【要約】
【課題】  従来、電柱の支線のアンカーは強風、地震等に対して、又は地盤が緩い場所において、電柱が倒れることがあります。
そのため、アンカーの支持強度をもっと上げなければならない必要性がありました。
【解決手段】従来のアンカー埋設は、アンカーをただ埋設するだけでした。本発明のアンカー埋設は、ケーシングを使用して、ケーシングの回転によりアンカーを回転させ、地中を掘削、推進して目的の深さに定着させ、ケーシング上端内よりセメントミルクを流し込み、定着したアンカー及び、アンカー上部周りの土もセメントミルクにより強固に固める装置の発明です。
【選択図】図１【図１】
0006021130.tif 000002
【図２】
0006021130.tif 000003
【図３】
0006021130.tif 000004